(57)【要約】【課題】工程が簡略化され、かつ、易開封性のある紙製筒状容器を提供すること。【解決手段】紙を基材とする複合シートからなる筒状の胴部材（１０）の上部及び下部の開口端に、飲み口部（３５）を有する蓋部材（３０）及び飲み口部を有しない底部材（２０）を熱融着により接合してなる筒状容器（５０）であって、前記蓋部材（３０）の表面に、蓋部材のほぼ全面を覆い、飲み口部（３５）の周縁が熱融着され、周縁に摘まみ部（４１）を有するタブ部材（４０）が設けられている。蓋部材（３０）は紙を含まないプラスチックを主体とする素材からなり、タブ部材（４０）は紙とプラスチックの素材から構成されている。【選択図】図１
2004203416.tif 000002
【特許請求の範囲】
【請求項１】
紙を基材とする複合シートからなる筒状の胴部材の上部及び下部の開口端に、飲み口部を有する蓋部材及び飲み口部を有しない底部材を熱融着により接合してなる筒状容器であって、前記蓋部材の表面に、該蓋部材のほぼ全面を覆い、飲み口部の周縁が熱融着され、周縁に摘まみ部を有するタブ部材が設けられていることを特徴とする、紙製筒状容器。
【請求項２】
前記蓋部材は、紙を含まないプラスチックを主体とする素材からなることを特徴とする、請求項１記載の紙製筒状容器。
【請求項３】
前記タブ部材は、紙とプラスチックの素材から構成されていることを特徴とする、請求項１又は２記載の紙製筒状容器。
【請求項４】
前記各部材の層構成の一部に、バリア層を有することを特徴とする、請求項１、２又は３記載の紙製筒状容器。
【請求項５】
前記バリア層が、無機化合物蒸着プラスチックフィルムからなることを特徴とする、請求項４記載の紙製筒状容器。
【発明の詳細な説明】
【０００１】
【発明の属する技術分野】
本発明は紙製の筒状容器に関するものであり、特には、飲み口部の易開封性に優れた紙製筒状容器に関する。
【０００２】
【従来の技術】
近年、使用後の廃棄処理のし易さ等の関係から、ウーロン茶、ジュース等の液体飲料を紙製の筒状容器に充填した商品が流通している。
【０００３】
この紙製筒状容器は、例えば図３（ａ）、（ｂ）に示すように、胴部材（１０）、底部材（２０）、飲み口部（３５）を有する蓋部材（３０）および蓋部材の飲み口部を覆うタブ部材（４０）からなり、胴部材、底部材および蓋部材の材質構成は、例えば、〔容器外側〕ポリエチレン（ＰＥ）／紙／ＰＥ／ＰＥ／ポリエチレンテレフタレート（ＰＥＴ）フィルム／ＰＥＴフィルム／ＰＥ〔容器内側〕のような紙を基材とする多層構成の複合シートからなるものであった。
また、タブ部材の材質構成は、アルミニウム箔／ＰＥなどのような複合フィルムからなるものであった。
【０００４】
また、この紙製筒状容器の成形方法は、一般的には図２に示すように、胴部材ブランクを筒状の胴部材（１０）に成形し、底部材の巻き取りは、ほぼ円形状であると共に、外周縁部が下向きに起立する底部材（２０）に打ち抜き、絞り成形する。また、底部材と同じ大きさとなる蓋部材の巻き取りは、ほぼ円形状で、飲み口部（３５）を穿孔すると共に、外周縁部が上向きに起立する蓋部材（３０）に打ち抜き、絞り成形する。
【０００５】
つぎに、筒状の胴部材（１０）の下部内面に、ほぼ円形状で外周縁部が下向きに起立する底部材（２０）の外面を接合させ、さらに外周部を覆うように胴部材（１０）の下端縁部が内方に折り曲げられ、ローレット（図示せず）により底部材（２０）の外周縁部の内面に圧着接合して行われる。その際、筒状の胴部材（１０）の下部内面と底部材（２０）の外周縁部の外面に熱風を吹きつけ、胴部材内層面のＰＥを軟化させ、また、底部材の外周縁部の外層のＰＥをそれぞれ軟化させ、内方に折り曲げた胴部材の内層面と底部材の外周縁部の外層面を熱圧着して接合させる。
【０００６】
同様に、筒状の胴部材（１０）の上部内面に上向きに起立する蓋部材（３０）の外面を接合させ、さらに外周部を覆うように胴部材（１０）の上端縁部が内方に折り曲げられ、ローレット（図示せず）により底部材（２０）の外周縁部の内面に圧着接合させる。その際、筒状の胴部材（１０）の上部内面と蓋部材（３０）の外周縁部の外面に熱風を吹きつけ、胴部材内層面のＰＥを軟化させ、また、蓋部材の外周縁部の外層のＰＥをそれぞれ軟化させ、内方に折り曲げた胴部材の内層面と蓋部材の外周縁部の外層面を熱圧着して接合させる。
【０００７】
こうして胴部材の両端に底部材と蓋部材を取り付けた紙製筒状容器は、最後に、飲み口部（３５）からジュース等の飲料液が充填され、飲み口部（３５）をタブ部材（４０）で熱封緘して、飲料液の充填された紙製筒状容器（５０）となる。
【０００８】
しかしながら、このような構造を有する紙製筒状容器は、蓋部材の飲み口部の周囲は紙端面が露出しているため、長期間の保存を必要とする飲料液の場合などは、飲み口部の紙端面から飲料液がしみ込み蓋部材に悪影響を及ぼす可能性がある。
【０００９】
それを除去する方法として、例えば、プラスチックフィルムを蓋部材の内層面に熱融着させて飲み口部の紙端面を封鎖する方法があるが、余分な工程が増え成形工程が煩雑になるという問題がある。さらにタブ部材が蓋部材に接着し易く、飲み口部が開けにくいという問題もある。
【００１０】
【発明が解決しようとする課題】
本発明は、飲み口部を有する紙製筒状容器に関する以上のような問題に鑑みてなされたもので、工程が簡素化され、かつ、易開封性のある紙製筒状容器を提供することを課題とする。
【００１１】
【課題を解決するための手段】
本発明の請求項１の発明は、紙を基材とする複合シートからなる筒状の胴部材の上部及び下部の開口端に、飲み口部を有する蓋部材及び飲み口部を有しない底部材を熱融着により接合してなる筒状容器であって、前記蓋部材の表面に、蓋部材のほぼ全面を覆い、飲み口部の周縁が熱融着され、周縁に摘まみ部を有するタブ部材が設けられていることを特徴とする、紙製筒状容器である。
【００１２】
このように請求項１記載の発明によれば、蓋部材の表面に、該蓋部材のほぼ全面を覆い、飲み口部の周縁が熱融着され、周縁に摘まみ部を有するタブ部材が設けられているので、摘まみ部を持ってタブ部材を引っ張り上げればタブ部材は蓋部材から容易に剥がれて飲み口部が露出する。
【００１３】
また、請求項２の発明は、請求項１の発明において、前記蓋部材は、紙を含まないプラスチックを主体とする素材からなることを特徴とする、紙製筒状容器である。
【００１４】
このように請求項２記載の発明によれば、蓋部材が紙を含まないプラスチックを主体とする素材からなるので、飲み口部に紙端面が露出することはないし、飲み口部から飲料液が蓋部材に浸透する可能性もない。
【００１５】
また、請求項３の発明は、請求項１又は２の発明において、前記タブ部材は、紙とプラスチックの素材から構成されていることを特徴とする、紙製筒状容器である。
【００１６】
このように請求項３記載の発明によれば、タブ部材が紙とプラスチックの素材から構成されているので、摘まみ部を容易に摘むことができ、摘まみ部が蓋部材に接着してしまうこともない。
【００１７】
また、請求項４の発明は、請求項１、２又は３の発明において、前記各部材の層構成の一部にバリア層を有することを特徴とする、紙製筒状容器である。
【００１８】
このように請求項４記載の発明によれば、胴部材、蓋部材、底部材およびタブ部材からなる各部材の層構成の一部にバリア層を有するので、容器のガスバリア性，水蒸気バリア性等の耐内容物性が向上する。
【００１９】
また、請求項５の発明は、請求項４の発明において、前記バリア層が無機化合物蒸着プラスチックフィルムからなることを特徴とする、紙製筒状容器である。
【００２０】
このように請求項５記載の発明によれば、バリア層が無機化合物蒸着プラスチックフィルムからなるので、容器を電子レンジで加熱することができる。
【００２１】
【発明の実施の形態】
以下、本発明の実施の形態を図面に従って説明する。
本発明の紙製筒状容器は、図１（ａ）、（ｂ）に示すように、紙を基材とする複合シートからなる筒状の胴部材（１０）の上部及び下部の開口端に、飲み口部（３５）を有する蓋部材（３０）及び飲み口部を有しない底部材（２０）を熱融着により接合してなる筒状容器（５０）である。
そして、蓋部材（３０）の表面に、天面のほぼ全面を覆い、飲み口部（３５）の周縁が熱融着され、外周縁に摘まみ部（４１）を有するタブ部材（４０）が設けられた構成からなる。
【００２２】
胴部材（１０）および底部材（２０）の材質構成としては、従来使用されている、〔容器外側〕ＰＥ／紙／ＰＥ／ＰＥ／ＰＥＴフィルム／ＰＥ〔容器内側〕とか、〔容器外側〕ＰＥ／紙／ＰＥ／ＰＥ／ＰＥＴフィルム／蒸着層・ＰＥＴフィルム／ＰＥ〔容器内側〕のような多層構成の複合シートを使用すれば良い。
【００２３】
蓋部材（３０）の材質構成としては、紙を含まないプラスチックを主材とする素材からなる。
より具体的には、胴部材や後記するタブ部材と熱融着性を有する、ＰＥ、ポリプロピレン（ＰＰ）、ＰＥ／ＰＥＴ／ＰＥ、ＰＥ／ポリスチレン（ＰＳ）／ＰＥのようなプラスチックシート基材が好ましく使用できる。
紙を含まない素材とすることにより、蓋部材の飲み口部（３５）の端面から内容物である飲料液が蓋部材に浸透するようなことがなくなる。
【００２４】
蓋部材（３０）の層構成にバリア層を設けても良い。バリア層としては一軸ないし二軸延伸されたＰＥＴフィルム、ポリアミドフィルム、ポリオレフィンフィルムなどの延伸フィルム上に、酸化アルミニウムや酸化ケイ素などのような無機化合物の薄膜を物理蒸着あるいは化学蒸着などの蒸着法により２０〜１００ｎｍ程度の暑さに設けた無機化合物蒸着プラスチックフィルムが好適に使用できる。
【００２５】
タブ部材（４０）は、紙とプラスチックの組合せからなる構成が良く、紙／ＰＥ、紙／ＰＰ、紙／（ＰＥ＋ＰＳ）、ＰＥＴ／紙／ＰＥ、ＰＥＴ／紙／ＰＰ等の構成からなる複合紙が好ましく使用できる。
タブ部材に複合紙を使用することにより、蓋部材にプラスチックシートを使用してもタブ部材の複合紙が被さるため全体として紙製容器のイメージがより強くなる。
【００２６】
タブ部材（４０）の蓋部材（３０）の取付けは、従来の容器成形充填工程と基本的には同様で、成形した筒状容器の飲み口部（３５）に充填ノズル（図示せず）を挿入して飲料液を充填後、筒状容器の天面にタブ部材（４０）を被せてシールヘッド（図示せず）により蓋部材の飲み口部周縁とタブ部材を熱融着させる。
【００２７】
タブ部材（４０）の周縁には摘まみ部（４１）がタブ部材から突出して形成されているので、タブ部材（４０）を蓋部材（３０）に熱融着させると、摘まみ部（４１）は天面の上方に起立して取付けられる。
従って、摘まみ部を容易に摘むことができ、それを引っ張ることによりタブ材が剥がれて飲み口部が露出し、簡単に飲料液を飲むことができる。
【００２８】
【発明の効果】
上記のように本発明の紙製筒状容器は、飲み口部を含めて蓋部材全体がタブ部材で覆われるので、蓋部材に埃が付着することがない。したがって、汚れないので衛生的であるという利点を有する。
また摘まみ部を引っ張ることにより開封が容易である。
【図面の簡単な説明】
【図１】本発明の紙製筒状容器の一実施例を示す、（ａ）は平面説明図であり、（ｂ）は断面説明図である。
【図２】紙製筒状容器の作製工程の一例を示す、模式説明図である。
【図３】従来の紙製筒状容器の一実施例を示す、（ａ）は平面説明図であり、（ｂ）は断面説明図である。
【符号の説明】
１０‥‥胴部材
２０‥‥底部材
３０‥‥蓋部材
３５‥‥飲み口部
４０‥‥タブ部材
４１‥‥摘まみ部
５０‥‥紙製筒状容器
【図１】
2004203416.tif 000003
【図２】
2004203416.tif 000004
【図３】
2004203416.tif 000005